(57)【特許請求の範囲】
【請求項１】
３台の情報伝送装置を用意して、その３台の情報伝送装置の内の情報を送信する２台の情報伝送装置を生体の右手首と左手首に装着することで、右手首に装着された第１の情報伝送装置と、左手首に装着された第２の情報伝送装置とし、その第１および第２の情報伝送装置から送信される情報を受信する第３の情報伝送装置とで構成されるシステムにおける、前記第１および第２の情報伝送装置として使用される情報伝送装置であって、
情報を発生する発生手段と、
前記生体に接触する接触手段と、
前記発生手段により発生された前記情報を送信処理して前記接触手段に供給して、前記接触手段を介して前記第３の情報伝送装置に送信する送信手段と、
前記送信手段により送信される前記情報の送信出力を、他方の手首に装着された情報伝送装置により送信される信号と互いに干渉しない小さなレベルに設定し、前記第３の情報伝送装置が前記情報に基づいて、受信した信号の送信元の情報伝送装置が装着されている手を識別できるように制御する制御手段とを備えた情報伝送装置。
【請求項２】
請求項１記載の情報伝送装置において、
前記制御手段は、前記情報に、識別情報が含まれるように制御する情報伝送装置。
【請求項３】
請求項１記載の情報伝送装置において、
前記制御手段は前記情報を搬送する搬送波の周波数を制御する情報伝送装置。
【請求項４】
３台の情報伝送装置を用意して、その３台の情報伝送装置の内の情報を送信する２台の情報伝送装置を生体の右手首と左手首に装着することで、右手首に装着された第１の情報伝送装置と、左手首に装着された第２の情報伝送装置とし、その第１および第２の情報伝送装置から送信される情報を受信する第３の情報伝送装置とで構成されるシステムにおける、前記第３の情報伝送装置として使用される情報伝送装置であり、
他方の手首に装着された情報伝送装置から送信される信号と互いに干渉しない小さなレベルに設定された信号を送信する第１および第２の情報伝送装置からの信号を受信する情報伝送装置において、
前記生体に接触する接触手段と、
前記第１および第２の情報処理装置により発生された情報を、前記接触手段を介して受信する受信手段と、
前記受信手段により受信された前記情報に基づいて、前記第１および第２の情報処理装置を識別する識別手段とを備えた
情報伝送装置。
【請求項５】
３台の情報伝送装置を用意して、その３台の情報伝送装置の内の情報を送信する２台の情報伝送装置を生体の右手首と左手首に装着することで、右手首に装着された第１の情報伝送装置と、左手首に装着された第２の情報伝送装置とし、その第１および第２の情報伝送装置から送信される情報を受信する第３の情報伝送装置とで構成される情報伝送システムであって、
前記第１および第２の情報処理装置として、
送信出力を、他方の手首に装着された情報伝送装置により送信される信号と互いに干渉しない小さなレベルに設定して、情報を送信処理する送信処理手段と、
前記送信処理手段で得られた送信信号が供給されて、前記生体と接触する第１の電極と、
基準となる電位部又は前記送信信号の電位とは逆極性の電位部と接続されて、前記第１の電極とは離れた位置で前記生体と接触する第２の電極とを備え、
前記第３の情報処理装置として、前記生体と接触する第３の電極と、前記第３の電極に得られる信号を受信処理する受信処理手段と、
前記受信処理手段により受信された前記情報に基づいて、前記第１および第２の情報処理装置を識別する識別手段とを備えた
情報伝送システム。
【請求項６】
請求項５記載の情報伝送システムにおいて、
前記第３の情報処理装置の基準電位部は、前記生体とは電気的に接触しない構成とした
情報伝送システム。
【請求項７】
請求項５記載の情報伝送システムにおいて、
前記第３の情報処理装置は、さらに第４の電極を備え、
該第４の電極は、基準となる電位部又は前記受信処理手段の入力信号とは逆極性となる電位部と接続させた
情報伝送システム。
【請求項８】
請求項５記載の情報伝送システムにおいて、
前記第１及び第２の情報処理装置は、
前記第１の電極に得られる信号を受信処理する受信処理手段をさらに備え、
前記第３の情報処理装置は、
情報を送信処理して送信信号を前記第３の電極に供給する送信処理手段をさらに備えた
情報伝送システム。
【発明の詳細な説明】
【０００１】
【発明の属する技術分野】
本発明は、情報伝送装置及び情報伝送システムに関し、特に、人体などの生体に装着して情報伝送を行う情報伝送装置及び情報伝送システムに関する。
【０００２】
【従来の技術】
本出願人は先に、例えば特願平５−３４１９５３号（特開平７−１７０２１５号公報参照）に、人体を伝送路として使用してビデオ信号などを送信することを提案した。図２９は、この先に提案した信号伝送の原理を表している。
【０００３】
即ち、この例においては、人体１が、送信装置２を一方の手に、受信装置３を他方の手に、それぞれ持った状態として、送信装置２から送信された信号が、人体１を介して受信装置３に伝送される。
【０００４】
図３０は、送信装置２の構成例を示している。信号源２ａより出力された信号は、変調器２ｂにより変調された後、増幅器２ｃにより増幅され、電極２ｄから出力される。電極２ｄは、人体１の表面（皮膚）に直接接触される。電池２ｅは、信号源２ａ，変調器２ｂ，増幅器２ｃに対して必要な電力を供給している。
【０００５】
図３１は、受信装置３の構成例を示している。電極３ａは、人体１の表面に直接接触される。送信装置２から人体１を介して伝送されてきた信号は、電極３ａから増幅器３ｂに入力される。増幅器３ｂは、入力された信号を増幅し、復調器３ｃに出力する。復調器３ｃは、入力された信号を復調し信号処理部３４に出力する。信号処理部３ｄは、入力された信号についての処理を実行する。電池３ｅは、増幅器３ｂ，復調器３ｃ，信号処理部３ｄに必要な電力を供給している。
【０００６】
【発明が解決しようとする課題】
この先に提案した伝送処理では、送信装置２の電極２ｄと、受信装置３の電極３ａを、人体１の表面に接触させることで、人体１が伝送路となって、ビデオ信号などを伝送することが可能であるが、伝送効率がそれほど良くなく、より低い送信電力で人体を介した情報伝送ができるようにすることが要請されていた。
【０００７】
また、先に提案した伝送処理では、人体を介して情報を授受するだけで、装着した人体の部位を検出することはできないという問題があった。
【０００８】
なお、ここでは人体を伝送路とした場合について述べたが、人間以外の生体を伝送路として使用する場合にも同様の問題がある。
【００１０】
本発明の目的は、人体の複数箇所に送信装置を装着した場合に、受信装置で送信装置を装着した部位を検出できるようにすることにある。
【００１３】
【課題を解決するための手段】
本発明は、３台の情報伝送装置を用意して、その３台の情報伝送装置の内の情報を送信する２台の情報伝送装置を生体の右手首と左手首に装着することで、右手首に装着された第１の情報伝送装置と、左手首に装着された第２の情報伝送装置とし、その第１および第２の情報伝送装置から送信される情報を受信する第３の情報伝送装置とで構成されるシステムにおける、前記第１および第２の情報伝送装置として使用される情報伝送装置であって、情報を発生する発生手段と、前記生体に接触する接触手段と、前記発生手段により発生された前記情報を送信処理して前記接触手段に供給して、前記接触手段を介して前記第３の情報伝送装置に送信する送信手段と、前記送信手段により送信される前記情報の送信出力を、他方の手首に装着された情報伝送装置により送信される信号と互いに干渉しない小さなレベルに設定し、前記第３の情報伝送装置が前記情報に基づいて、受信した信号の送信元の情報伝送装置が装着されている手を識別できるように制御する制御手段とを備えた情報伝送装置である。
【００１４】
かかる発明の情報伝送装置によると、発生された情報が第３の情報処理装置に、生体に接触する接触手段を介して送信され、送信される情報の送信元を第３の情報処理装置が識別できるように情報が制御される。
【００１５】
また本発明は、３台の情報伝送装置を用意して、その３台の情報伝送装置の内の情報を送信する２台の情報伝送装置を生体の右手首と左手首に装着することで、右手首に装着された第１の情報伝送装置と、左手首に装着された第２の情報伝送装置とし、その第１および第２の情報伝送装置から送信される情報を受信する第３の情報伝送装置とで構成されるシステムにおける、前記第３の情報伝送装置として使用される情報伝送装置であり、他方の手首に装着された情報伝送装置から送信される信号と互いに干渉しない小さなレベルに設定された信号を送信する第１および第２の情報伝送装置からの信号を受信する情報伝送装置において、前記生体に接触する接触手段と、前記第１および第２の情報処理装置により発生された情報を、前記接触手段を介して受信する受信手段と、前記受信手段により受信された前記情報に基づいて、前記第１および第２の情報処理装置を識別する識別手段とを備えた情報伝送装置である。
【００１６】
かかる発明の情報伝送装置によると、生体に接触された接触手段を介して、第１および第２の情報処理装置から送信された情報に基づいて、第１および第２の情報処理装置が識別される。
【００１９】
また本発明は、３台の情報伝送装置を用意して、その３台の情報伝送装置の内の情報を送信する２台の情報伝送装置を生体の右手首と左手首に装着することで、右手首に装着された第１の情報伝送装置と、左手首に装着された第２の情報伝送装置とし、その第１および第２の情報伝送装置から送信される情報を受信する第３の情報伝送装置とで構成される情報伝送システムにおいて、前記第１および第２の情報処理装置として、送信出力を、他方の手首に装着された情報伝送装置により送信される信号と互いに干渉しない小さなレベルに設定して、情報を送信処理する送信処理手段と、前記送信処理手段で得られた送信信号が供給されて、前記生体と接触する第１の電極と、基準となる電位部又は前記送信信号の電位とは逆極性の電位部と接続されて、前記第１の電極とは離れた位置で前記生体と接触する第２の電極とを備え、前記第３の情報処理装置として、前記生体と接触する第３の電極と、前記第３の電極に得られる信号を受信処理する受信処理手段と、前記受信処理手段により受信された前記情報に基づいて、前記第１および第２の情報処理装置を識別する識別手段とを備えた情報伝送システムとしたものである。
【００２０】
かかる発明の情報伝送システムによると、第１および第２の情報処理装置で発生された情報が生体を介して第３の情報処理装置に伝送され、その情報に基づいて、情報を送信した第１の情報処理装置と第２の情報処理装置が識別される。
【００２１】
【発明の実施の形態】
以下、本発明の第１の実施の形態を、図１〜図２３を参照して説明する。
【００２２】
図１は、本例の伝送システムのシステム構成例を示した図である。本例においては、人体１の腕に送信装置１０を装着し、その送信装置１０から送信される信号を、人体１に接触した受信装置２０で受信するようにしたものである。ここでは送信装置１０は、バンド１１で手首に取付けるようにしてあり、このように取付けられた状態では、送信装置１０に配置された２個の電極１２，１３が人体１の表面（皮膚）と直接的に接触している。また、送信装置１０には、信号の送信状態を表示させるための発光ダイオード１４ａが設けてある。
【００２３】
受信装置２０は、ここではＰＤＡ（Personal Didital Assistants ）と称されるデータ処理端末で構成した例としてある。本例の受信装置２０の表面には、電極２１が配置してあり、信号の受信時には、この電極２１を人体１の表面と接触させるようにしてある。図１では、送信装置１０を装着した手で持った例としてあるが、基本的には人体１のどこと電極２１が接触しても良い。また、受信装置２０には、表示部２７が配置してある。送信装置１０や受信装置２０の電極１２，１３，２０は、金属板などの導電性部材で構成される。
【００２４】
図２は、本例の送信装置１０の内部構成を示した図である。信号源１４は、例えばマイクロコンピュータなどにより構成され、受信装置に送信する信号を発生する。この信号は、例えば送信装置１０を識別するための識別信号とすることができる。信号源１４は、信号を出力するとき、発光ダイオード１４ａを点灯させる。
【００２５】
信号源１４が出力する信号は、変調器１５で所定の方式で送信用に変調する。
例えば、ＦＳＫ（Frequency Shift Keying）方式により変調する。このとき、キャリア発生器１６から供給されるキャリアを使用して、変調を行う。キャリアの周波数としては、例えば１０Ｍ〜２０ＭＨｚの周波数帯域を使用する。
【００２６】
変調器１５で変調された信号は、バンドパスフィルタ１７に供給して、伝送すべき周波数帯域の信号成分を抽出し、その抽出された信号を、増幅器１８に供給して増幅する。増幅器１８では、例えばリニア変調による増幅を行い、増幅器１８で増幅された信号は、電極１２に出力する。増幅器１８は、例えば出力信号波形のピーク間の電位が約３Ｖとなるような増幅を行う。
【００２７】
電池１９は、一端が接地されており、他端から信号源１４，変調器１５，キャリア発生器１６，バンドパスフィルタ１７，増幅器１８などに必要な電力を供給している。電池１９の接地された一端は、信号源１４，変調器１５，キャリア発生器１６，バンドパスフィルタ１７，増幅器１８などの接地電位部と接続してある。さらに、電池１９の一端及び各回路の接地電位部は、電極１３とも接続させてある。
【００２８】
接地側と接続された電極１３は、増幅器１８の出力が供給される電極１２とは、ある程度の間隔（例えば数センチ程度）を開けて、人体の表面と接触するように送信装置１０に配置してある。例えば図１に示すように、手首に装着される送信装置として構成してある場合に、その送信装置１０を構成する筐体の裏面側に、ある程度の間隔を開けて、ほぼ同一平面上に２つの電極１２，１３を配置して、バンド１１で送信装置１０を手首に装着させた場合に、人体１の表面に２つの電極１２，１３が同時に接触するようにしてある。電極１２，１３としては、導電性を有する金属などが使用される。また、２つの電極１２，１３の間隔の最適な値については、送信信号のキャリア周波数により変化するものである。
【００２９】
図３は、本例の受信装置２０の内部構成を示した図である。本例の受信装置２０は、装置を構成する筐体の外側に１個の電極２１だけが配置してあり、この電極２１を受信電極として使用する。受信装置２０内の回路の接地電位部と接続された電極は、筐体の外側には設けてない。但し、受信装置２０の内部には、図３に示したように、回路の接地電位部と接続された内部電極２２を設けても良い。この内部電極２２は、必ずしも専用の電極板などを用意する必要はなく、例えば装置内部の接地電位部と接続されたシールドケースや、回路基板の接地電位部が、内部電極として機能するようにしても良い。
【００３０】
電極２１より入力された信号は増幅器２３に供給し、増幅器２３で入力された信号を増幅する。増幅器２３で増幅された信号は、復調器２４に供給して復調する。例えば、送信装置側でＦＳＫ変調が行われている場合に、そのＦＳＫ変調された信号の復調を、復調器内部のＰＬＬ回路（フェーズ・ロックド・ループ回路）を使用して行う。このとき、キャリア発生器２５から供給されるキャリアを復調処理に使用する。
【００３１】
復調器２４で復調された信号は、データ処理部２６に供給し、伝送されたデータの検出処理を行う。例えば、送信装置１０から識別信号が送出された場合に、その識別信号としてのデータを検出する。データ処理部２６には、液晶表示パネルなどで構成される表示部２７が接続してあり、データ処理部２６の制御で、各種文字，図形などを表示させる。例えば、送信装置１０から送信された識別信号をデータ処理部２６で検出したとき、そのことを示す表示を、表示部２７で行う。データ処理部２６内には、この受信装置２０と通信を行う送信装置１０が送信する識別信号に関するデータを予め記憶させてある。なお、ここでは表示部２７として文字，図形が表示可能な表示手段を使用したが、例えば発光ダイオードのような単純な表示手段の点灯などで、識別信号の受信などを告知するようにしても良い。
【００３２】
データ処理部２６は、受信した信号から、予め登録された識別信号を検出した場合に、例えばユーザからの指令に対応した所定の処理を実行する。例えば、ＰＤＡとしての使用ができるようにする。受信した識別信号のコードが、予め登録されている識別信号のコードと一致しない場合には、データ処理部２６は、ユーザから指令が入力されたとしても、対応する処理を実行しないようにする。これにより、受信装置２０として構成されたＰＤＡは、送信装置１０を装着しているユーザだけが使用可能となる。
【００３３】
受信装置２０内の電池２８は、一端が接地されており、他端から増幅器１２，復調器２４，キャリア発生器２５，データ処理部２６，表示部２７などに必要な電力を供給している。電池２８の接地された一端は、これらの回路の接地電位部と接続してある。また、内部電極２２が設けてある場合には、電池２８の接地された一端が、内部電極２２と接続させてある。
【００３４】
なお、受信装置２０の内部の内部電極２２については、既に述べたように、省略しても良いが、専用の内部電極２２を設ける場合には、その電極の形状として、外部とのマッチングが良好にとれるような形状としても良い。例えば、アンテナとして機能するような形状としても良い。
【００３５】
図４は、このように構成される送信装置１０と受信装置２０の伝送状態の例を示した図である。この例では、送信装置１０を人体１の手首に取付け、その手で受信装置２０を持った例としてある。送信装置１０の２つの電極１１，１２が人体１の表面と接触した状態で、その送信装置１０から送信を行うことで、その送信信号による電界ｅが、人体１の周囲にまとわりつくように形成される。図４では手だけを示してあるが、この電界ｅは基本的に人体１の全体にわたって形成されている。この状態で、図４に示したように、受信装置２０の電極２１を人体１が触れることで、送信装置１０から送信された信号が、受信装置２０に入力されて、例えば送信装置１０から送信された識別信号が、受信装置２０内で検出される。
【００３６】
図５は、本例の構成で送信装置１０から人体１に信号が送られる状態を示した等価回路である。図５Ａは、本例の場合（即ち送信装置１０に２つの電極１２，１３を設けた例）の等価回路であり、図５Ｂは、送信装置の接地側の電極１３を設けない、従来から提案されている構成の送信装置を使用した場合の例の等価回路である。
【００３７】
図５Ａに示した等価回路について説明すると、この例は、送信装置１０の２つの電極１２，１３を人体１の表面に接触させて、人体１側に信号を送った場合としてある。図５Ｂに示す等価回路の場合には、送信装置１０に１つの電極１２だけが設けてある構成（即ち接地電極１３がない構成）となっている。図５Ａ，図５Ｂの各記号の意味は以下の通りである。
Ｖg ：送信装置１０から送信される信号の電圧
Ｚg ：送信装置１０の出力インピーダンス
Ｚin：電極１２，１３間の入力インピーダンス
Ｐav：伝送される有能電力
Ｐin：入力電力
Ｐm ：不整合損
Ｐh ：人体吸収電力
Ｐr ：空間放射電力
また、Ｓ＝Ｐin／Ｐavである。
【００３８】
この等価回路での伝送状態について検討すると、電極に供給される電力Ｐinは、次式で示される。
【００３９】
【数１】
0004019742.tif 000002
【００４０】
また、回路を流れる電流Ｉは、次式で示される。
【００４１】
【数２】
0004019742.tif 000003
【００４２】
この〔数２〕式を〔数１〕式に代入すると、次式のようになる。
【００４３】
【数３】
0004019742.tif 000004
【００４４】
また、損失の総量Ｐt は、Ｐt ＝Ｐh ＋Ｐm であり、有能電力に対する放射効率ηは、次式のように定義される。
【００４５】
【数４】
0004019742.tif 000005
【００４６】
この数式を用いて、実際に人体を介して伝送される電力を算出したところ、電極１２だけを設けた図５Ｂの例の場合には、有能電力のかなりの部分が不整合損Ｐm となって、信号源側に戻ってしまう。これに対して電極１２，１３を有する本例の送信装置１０の場合には、不整合損Ｐm が非常に小さく、人体側に効率良く信号が伝わることが判った。なお、図４に示した電界ｅの発生強度は、電極１３がない図５Ｂの従来の構成に比べて、電極１２，１３がある図５Ａの場合、約３倍であることが実験から確かめられた。従って、本例の送信装置１０を使用して信号を送信することで、人体に送られる信号の強度が高くなり、人体と接触した受信装置２０で良好に信号を受信できるようになり、通信の安定性や確度が向上する。
【００４７】
なお、図１に示した構成では、送信装置１０の２つの電極１２，１３として、ほぼ平面上に間隔を開けて配置するようにしたが、このように２つの電極を平面上に配置した場合には、それだけ送信装置１０が大型化するので、例えば電極をバンド１１に取付けるようにしても良い。
【００４８】
図６及び図７は、一方の電極をバンド１１に配置した場合の送信装置１０の構成例を示した図である。図６は斜視図で示してあり、仮想線で人体１の手首への装着状態を示してある。図７は真横から見た図である。この例では、送信装置１０は一般的な形状（即ちほぼ円形，薄型）の腕時計として構成させてあり、発光ダイオード１４ａとは別に、時刻などを表示させる表示部１４ｂが表面に設けてある。そして、送信装置１０である時計装置本体を構成する筐体の裏面側に、電極１２が配置してあり、手首に装着した際に時計装置本体から最も離れる位置となるバンド１１の裏側に、電極１３が配置してある。バンド１１は、少なくとも手首と接する裏面側は非導電性の素材で構成させてあり、バンド１１に配置した電極１３と時計装置本体内の送信処理を行う回路とを、バンド１１内に取付けた信号線１３ａで接続させてある。
【００４９】
この図６，図７に示すように構成することで、２つの電極１２，１３の間隔が、送信装置である時計装置本体のサイズに制約されなくなり、小型に送信装置を構成させた場合でも、良好な送信状態を実現できる。なお、図６，図７の例では、２つの電極１２，１３の位置を最も離した例としたが、送信周波数などから決まる２つの電極１２，１３間の最適な距離に基づいて、バンド１１内の電極１３の配置位置を設定すれば良い。
【００５０】
また、２つの電極１２，１３の双方を、バンド１１に配置しても良い。図８はこの場合の配置例を示した図である。送信装置１０を構成する時計装置本体には電極を設けず、２つの電極１２，１３を、バンド１１の内側に、適切な間隔で配置させてある。それぞれの電極１２，１３は、バンド１１内に取付けた信号線１２ａ，１３ａで送信装置１０内の回路と接続させてある。
【００５１】
さらに、ここまで説明した例では、２つの電極１２，１３だけを設けた例としたが、これらの電極１２及び／又は電極１３と共通に接続された別の電極を設けるようにしても良い。
【００５２】
例えば図９に示すように、送信装置１０′の裏面側に電極５１を配置し、送信装置１０′に取付けられたバンド１１の裏面側に、この電極５１とほぼ等間隔となるような状態で、３つの電極５２，５３，５４を配置する。バンド１１に配置された電極５２，５３，５４については、バンド１１内に取付けた信号線５２ａ，５３ａ，５４ａで、送信装置１０′内の回路と接続させてあり、送信装置１０′の裏面側に直接配置された電極５１についても、図示しない信号線で送信装置１０′内の回路と接続させてある。
【００５３】
図１０〜図１３は、このように４つの電極５１〜５４を配置した場合の、送信装置１０′内の回路との接続状態の４つの例を示した図である。それぞれの例について説明すると、例えば図１０に示す接続例（例１）では、４つ並んだ電極５１，５２，５３，５４の内の１つ毎の電極５１，５３に、増幅器１８の出力を供給するように接続し、残りの１つ毎の電極５２，５４に、接地電位部を接続するようにした。
【００５４】
図１１に示した接続例２では、１つの電極５１に、増幅器１８の出力を供給するように接続し、残りの３つの電極５２，５３，５４に、接地電位部を接続するようにした。図１２に示した接続例３では、３つの電極５１，５２，５３に、増幅器１８の出力を供給するように接続し、残りの１つの電極５４に、接地電位部を接続するようにした。図１３に示した接続例４では、隣接した２つの電極５１，５２に、増幅器１８の出力を供給するように接続し、残りの２つの電極５３，５４に、接地電位部を接続するようにした。
【００５５】
また、図示はしないが、送信装置１０′の裏面に直接接続された電極５１を、接地電位部と接続された接地電極として使用し、他の電極を、増幅器１８の出力が供給される電極として使用しても良い。
【００５６】
このように、多数の電極を配置することで、人体と電極との接触状態を良好に保つことができ、より良好な通信状態が確保される。なお、図１０〜図１３に示した送信装置１０′の、その他の内部構成については、図２に示した送信装置１０と同様に構成される。また、ここでは４個の電極を配置した例としたが、３個或いは５個以上の電極を配置した構成としても良い。
【００５７】
また、ここまで説明した各例では、腕時計に相当する形状で送信装置を構成させた例としたが、その他の形状で送信装置を構成させても良い。例えば、送信装置がより小型に構成できる場合には、指輪形状の送信装置としても良い。図１４〜図１７は、この指輪形状の送信装置の例を示した図である。
【００５８】
例えば、図１４，図１５に示すように、指に嵌められる環状部６１を有する指輪型送信装置６０として構成して、その内部に送信回路や電池などを配置させる。そして、環状部６１に嵌めた指と接触するように、複数の電極６２，６３を配置する。この例では、図１５に示すように、環状部６１の上下の対向する位置に、２つの電極６２，６３を配置する。環状部６１の指と接するその他の部分は、非導電材で構成し、電極６２を信号線６２ａを介して増幅器の出力部と接続し、電極６３を信号線６３ａを介して接地電位部と接続する。
【００５９】
また、図１６に示すように、指輪型送信装置６０として、環状部６１の左右の対向する位置に、２つの電極６２，６３を配置して、信号線６２ａ，６３ａで送信信号出力部及び接地電位部と接続するように構成しても良い。
【００６０】
また、このような指輪形状の送信装置とした場合にも、４つの電極を配置しても良い。即ち、例えば図１７に示すように、指輪型送信装置６０′として、４つの電極６２，６３，６４，６５を、ほぼ均等な間隔で環状部６１の内側に配置して、それぞれの電極６２，６３，６４，６５に接続された信号線６２ａ，６３ａ，６４ａ，６５ａを、送信信号出力部又は接地電位部に接続させる構成としても良い。
【００６１】
また、例えば図１８に示すように、ネックレス型送信装置７０として構成しても良い。この場合には、例えばチェーン部７１の中央に、送信装置本体を配置した送信装置７０とし、装着時に人体１の胸と接する装置本体の裏面に、一方の電極７２を配置し、さらに装着時に人体１の背面と接するチェーン部７１の所定位置に、他方の電極７３を配置するようにしても良い。この図１８の例の場合には、２つの電極７２，７３の間隔を比較的長く設定することができ、送信周波数によっては良好な送信条件が確保される。
【００６２】
なお、図１８に示すようなネックレス型送信装置の場合にも、他の構成例で説明したような２個を越える電極を配置しても良いことは勿論である。
【００６３】
また、ここまで説明したシステム構成では、送信装置側に２個（又は２組）の電極を配置して、一方の電極を接地電位部と接続させるように構成し、受信装置側では、図３に示したように、受信信号が入力される１個の電極だけを設けるようにし、接地電位部と接続された電極を装置の外側には設けない構成としたが、受信装置側でも、２個の電極を設けるようにしても良い。即ち、例えば図１９に示すように、受信装置２０′として、増幅器２３の入力部に接続された電極２１とは別に、内部の回路や電池の接地電位部と接続された電極２９を、装置を構成する筐体の外側に配置する構成としても良い。受信装置２０′のその他の構成については、図３に示した受信装置２０と同じ構成で良い。
【００６４】
図２０，図２１は、受信装置２０′に２個の電極２１，２９を配置した例を示した図である。例えば、図２０に示すように、ＰＤＡとして構成された受信装置２０′の表面側に電極２１を配置し、裏面側（図では見えない裏側）に電極２９を配置する。そして、この受信装置２０′の表と裏を指で挟むようにして持つことで、人体１と受信装置２０′とが、２つ電極２１，２９を介して接続されることになり、送信装置１０から出力された信号を、より良好に受信できるようになる。
【００６５】
また例えば、図２１に示すように、ＰＤＡとして構成された受信装置２０′の右隅に電極２１を配置し、左隅に電極２９を配置する構成としても良い。この場合にも、受信装置２０′の左右の端部を両手などで持つことで、人体１と受信装置２０′とが、２つ電極２１，２９を介して接続されることになり、送信装置１０から出力された信号を、より良好に受信できるようになる。
【００６６】
また、ここまで説明した例では、人体に装着される装置を、送信装置とし、人体が一時的に持ったり触れるような装置を、受信装置としたが、その逆でも良い。即ち、例えば腕時計などの形状をして、人体に取付けられる装置を、受信装置として構成し、ＰＤＡのような人体が一時的に持つような装置を、送信装置として構成しても良い。
【００６７】
さらに、それぞれの装置を、送信と受信の双方を行う通信装置として構成しても良い。即ち、例えば図２２に示すように、人体に装着される通信装置８０として、電極８１，８２の２個の電極を設けて、電極８１を、送信用の増幅器８７の出力部と受信用の増幅器８８の入力部とに接続し、電極８２を接地電位部に接続する。この通信装置は、各種データ処理を行うマイクロプロセッサ８３を備えて、表示部８４でデータ処理状態に基づいた表示を行う。そして、マイクロプロセッサ８３で生成させた送信信号を、変調器８５でキャリア発生器８６から供給されるキャリアを使用して送信用に変調し、その変調された信号を、送信用の増幅器８７で送信出力の信号とし、その増幅された送信信号を、電極８１から外部（接触した人体）に出力させる。
【００６８】
また、電極８１に外部（接触した人体）から入力した信号を、受信用の増幅器８８の入力部に供給し、受信用の増幅処理を行う。増幅器８８で増幅された信号は、復調器８９で受信用の復調処理を行う。このとき、キャリア発生器８６から供給されるキャリアを使用して復調処理を行う。復調器８９で復調された受信信号は、マイクロプロセッサ８３に供給して、受信信号に含まれるデータの検出処理などを行う。なお、図２２では電池などの電源供給手段は省略してある。
【００６９】
このように構成される通信装置８０を、例えば図４に示した如き腕時計型通信装置、或いは図１４に示した如き指輪型通信装置のように、人体に装着される通信装置として構成して、２つの電極８１，８２を人体と接触させておく。
【００７０】
また、この通信装置８０と通信を行う相手側の機器についても、送信と受信の双方が行える通信装置として構成する。但し、相手側の通信装置については、接地電極を備えない電極１個の通信装置として構成しても良い。
【００７１】
このように送信と受信の双方が処理できる通信装置を用意して、人体を介して双方向に信号を送って通信を行うことで、例えば外部からの指示を、人体に装着された通信装置に送って、その通信装置で届いた指示に基づいた処理を実行させて、その処理の実行結果を外部に送るようなことが可能になる。或いはこれとは逆に、人体に装着された通信装置から指示を送って、その結果を人体に装着された通信装置に戻すようなことも可能になる。
【００７２】
なお、図２２に示した通信装置８０は、２個の電極を送信用と受信用で兼用するようにしたが、送信用と受信用の電極を分けるようにしても良い。例えば図２３に示すように、通信装置８０′として、送信用の増幅器８７の出力信号が供給される電極９１と接地電極９２を設け、さらに、受信用の増幅器８８に入力信号を供給する電極９３と接地電極９４を設ける構成としても良い。通信装置８０′のその他の構成については、図２２に示した通信装置８０と同様に構成する。
【００７３】
この図２３に示すように送信用と受信用とで個別に電極を用意する構成とした場合には、例えば送信信号のキャリア周波数と受信信号のキャリア周波数とが異なる場合に、それぞれの周波数に適合した電極の配置間隔を設定できる。なお、接地電極９２，９４については、１つの電極で共用させても良い。
【００７４】
なお、ここまで説明した送信装置や受信装置（或いは送受信を行う通信装置）の電極としては、信号の出力又は入力を行う１つ又は複数の第１の電極と、接地電位部に接続された１つ又は複数の第２の電極との、２種類の電極を設けた構成としたが、これとは違う２種類の電極を設けた構成としても良い。即ち、信号の出力又は入力を行う第１の電極と、この第１の電極に得られる信号とは互いに逆極性のバランスした信号が出力又は入力される第２の電極との、２種類の電極を設けるようにしても良い。この互いに逆極性のバランスした信号が出力又は入力される第１，第２の電極を設けた場合にも、それぞれの電極を複数設ける構成としても良い。
【００７５】
次に、本発明の第２の実施の形態を、図２４〜図２８を参照して説明する。本実施の形態において、送信装置と受信装置の具体的な電極や内部の構成については、既に第１の実施の形態で説明した構成が適用されるものであり、第１の実施の形態で説明した送信装置と受信装置を使用したシステム構成とした上で、受信装置側で送信装置の識別処理を行うようにしたものである。
【００７６】
図２４に示した本例のシステム構成について説明すると、人体１００の右腕１０１には、発光ダイオード１２１を有する送信装置１１１が装着されており、左腕１０２には、発光ダイオード１２２を有する送信装置１１２が装着されている。これらの送信装置１１１，１１２には、少なくとも２つの電極が配されて、人体１００と直接的に接触している。受信装置１１４は電極１１３を有し、受信した信号に基づいて発光する発光ダイオード１２３及び１２４を有している。
【００７７】
ここでは、各送信装置１１１，１１２は、腕時計の如きバンドで腕に装着される装置を想定しており、受信装置１１４は、ＰＤＡの如き情報処理端末を想定している。
【００７８】
本例の送信装置１１１及び１１２は、内部が例えば図２に示した構成であるとすると、それぞれの信号源１４より互いに異なる識別信号を発生させ、変調器１５でＦＳＫ変調し、バンドパスフィルタ１７は、変調器１５より出力された信号の内、伝送すべき周波数帯域の信号成分を抽出し、増幅器１８に出力する。増幅器１８は、入力された信号を増幅し、電極１２より人体１００を介して送信する。人体１００の右手（右腕）１０１又は左手（左腕）１０２が、受信装置１１４の電極１１３に接触している場合、受信装置１１４は、送信装置１１１又は１１２より送信された信号を、電極１１３を介して受信する。
【００７９】
このとき、送信装置１１１及び１１２の送信出力は互いに干渉しない小さなレベルに設定されている。これにより、送信装置１１１より送信された信号は、右手１０１で電極１１３に接触しないと、受信装置１１４で受信できない。同様に、送信装置１１２より送信された信号は、左手１０２で電極１１３に接触しないと、受信装置１１４で受信できない。
【００８０】
次に、図７に示す構成で行われる伝送の動作について説明する。送信装置１１１の内部の構成が、図２に示した送信装置１０と同じであるとすると、信号源１４は、ここでは識別信号Ｒを発生させて出力させるとする。このとき、信号源に接続された発光ダイオード１４ａを、例えば赤色に点灯させ、信号を送信していることを表示させる。変調器１５は、信号源１４より出力された識別信号ＲをＦＳＫ変調し、バンドパスフィルタ１７に出力する。バンドパスフィルタ１７は、ＦＳＫ変調された出力より伝送すべき周波数帯域の信号成分を抽出し、増幅器１８に出力する。ＦＳＫ変調された識別信号Ｒは、増幅器１８で増幅され、電極１２より右腕１０１を介して伝送される。このとき、接地側の電極１３についても、右腕１０１に接触している。
【００８１】
この状態で、人体の右手１０１が、受信装置１１４の電極１１３に接触すると、送信装置１１１の電極１２より伝送された信号は、電極１１３を介して受信装置１１４に受信される。受信装置１１４の内部の構成が、図３に示した受信装置２０と同じであるとすると、受信された信号は増幅器２３で増幅され、復調器２４で復調され、識別信号Ｒが抽出される。抽出された識別信号Ｒは、データ処理部２６に供給され、処理される。データ処理部２６は、識別信号Ｒを予め登録されている識別バンドパスフィルタと比較し、信号を送信した送信装置１１１を識別し、送信装置１１１に対応する発光ダイオード１２３を、例えば赤色に点灯させ、右腕１０１が電極１１３に接触したことを示す。
【００８２】
送信装置１１２の場合も同様に、内部の構成が、図２に示した送信装置１０と同じであるとすると、信号源１４は、ここでは識別信号Ｌを発生させて出力させるとする。このとき、信号源に接続された発光ダイオード１４ａを、例えば緑色に点灯させ、信号を送信していることを表示させる。変調器１５は、信号源１４より出力された識別信号ＬをＦＳＫ変調し、バンドパスフィルタ１７に出力する。バンドパスフィルタ１７は、ＦＳＫ変調された出力より伝送すべき周波数帯域の信号成分を抽出し、増幅器１８に出力する。ＦＳＫ変調された識別信号Ｌは、増幅器１８で増幅され、電極１２より左腕１０２を介して伝送される。このとき、接地側の電極１３についても、左腕１０２に接触している。
【００８３】
この状態で、人体の左手１０２が、受信装置１１４の電極１１３に接触すると、送信装置１１１の電極１２より伝送された信号は、電極１１３を介して受信装置１１４に受信される。受信装置１１４の内部の構成が、図３に示した受信装置２０と同じであるとすると、受信された信号は増幅器２３で増幅され、復調器２４で復調され、識別信号Ｌが抽出される。抽出された識別信号Ｌは、データ処理部２６に供給され、処理される。データ処理部２６は、識別信号Ｌを予め登録されている識別バンドパスフィルタと比較し、信号を送信した送信装置１１２を識別し、送信装置１１２に対応する発光ダイオード１２４を、例えば緑色に点灯させ、左腕１０２が電極１１３に接触したことを示す。
【００８４】
以上のようにして、受信装置１１４の電極１１３が接触した人体１００の部位が、右腕（右手）又は左腕（左手）であることが識別される。
【００８５】
図２５は、本実施の形態の処理を適用した、他の情報伝送システムの構成例を示している。この図２５の例では、送信装置１１１は人体１００の左足１０３に装着され、送信装置１１２は人体１００の左足１０４に装着されている。また、受信装置１１４には、床に設置するタイプの電極１１５が接続されている。
【００８６】
この例の場合には、図２４の例の場合と同様に、送信装置１１１より送信される信号の送信出力は、意識的に小さく設定され、その信号は右足１０３が受信電極に接触しないと受信装置１１４で受信できないようになっている。また、送信装置１１２より送信される信号についても同様である。
【００８７】
このときの動作は、図２４の例の場合と同様に行われ、送信された識別信号Ｒ又はＬによって、電極１１５に接触した足が、右足であるか左足であるかが識別される。
【００８８】
図２６は、本実施の形態の処理を適用した、さらに他の情報伝送システムの構成例を示している。この図２６の例では、送信装置１３１は人体の右腕１０１に装着され、送信装置１３２は人体の左腕１０２に装着され、送信装置１３３は人体の右足１０３に装着され、送信装置１３４は人体の左足１０４に装着されている。各送信装置１３１，１３２，１３３，１３４には、発光ダイオード１４１，１４２，１４３，１４４が取付けてある。また、受信装置１３５は、例えば床などに設置するタイプの電極１１５と接続させてある。受信装置１３５には、発光ダイオード１４５，１４６，１４７，１４８を有する。
【００８９】
図２７は、この場合の送信装置１３１の内部構成を示している。発振器１６１は発振し、予め設定されている所定の周波数の信号を発生し、バッファアンプ１６２に出力する。バッファアンプ１６２は発振器１６１より出力された信号を増幅し、電極１６３に出力する。
【００９０】
送信装置１３１内の電池１６４は、一端が接地されており、他端から発振器１６１及びバッファアンプ１６２に、必要な電力を供給している。接地電極１６５は、発振器１６１，バッファアンプ１６２，電池１６４の接地点と相互に接続されている。
【００９１】
送信装置１３２，１３３，１３４の内部の構成は、送信装置１３１と同様である。但し、各送信装置１３１，１３２，１３３，１３４の発振器１６１が発振する信号の周波数は、それぞれ異なる周波数に設定してある。
【００９２】
図２８は、受信装置１３５の内部を示している。増幅器１８１は、電極１１５より入力された信号を増幅し、信号処理部１８２に出力する。信号処理部１８２は、例えばマイクロコンピュータなどにより構成され、増幅器１８１より入力された信号の周波数を認識し、信号を送信して送信装置を識別する。
【００９３】
電池１８３は、増幅器１８１及び信号処理部１８２に必要な電力を供給している。
【００９４】
次に、図２６に示すシステム構成での動作について説明する。送信装置１３１の発振器１６１は、他の送信装置とは異なる所定の周波数の信号をバッファアンプ１６２に出力する。このとき、発光ダイオード１４１は例えば赤色に点灯される。バッファアンプ１６２は、入力された信号を増幅し、電極１６３から出力する。
【００９５】
右腕１０１が受信装置１３５に接続された電極１１５に接触すると、送信装置１３１側の電極１６３より出力された信号は、右腕１０１及び電極１１５を介して受信装置１３５に伝送される。
【００９６】
受信装置１３５においては、電極１１５を介して伝送されてきた信号は、増幅器１８１に供給される。増幅器１８１は、入力された信号を増幅し、信号処理部１８２に出力する。信号処理部１８２は、増幅器１８１より入力された信号の周波数を認識し、予め登録されている周波数と比較し、信号を送信した送信装置１３１を識別し、送信装置１３１に対応する発光ダイオード１４５を例えば赤色に点灯させ、右腕１０１が電極１１５に接触したことを表示させる。
【００９７】
送信装置１３２も同様に他の送信装置とは異なる所定の周波数の信号を出力する。このとき、発光ダイオード１４２が例えば青色に点灯される。左腕１０２が電極１１５に接触した場合、送信装置１３２より出力された信号は、左腕１０２及び電極１１５を介して受信装置１３５に伝送される。電極１１５より入力された信号は、送信装置１３１から送信された信号と同様に、増幅器１８１において増幅され、信号処理部１８２において周波数を認識される。信号処理部１８２は受信した信号の周波数を認識すると、予め登録されている周波数と比較し、信号を送信した送信装置１３２を識別し、送信装置１３２に対応する発光ダイオード１４６を例えば青色に点灯させ、左腕１０２が電極１１５に接触したことを表示させる。
【００９８】
また、送信装置１３３も同様に他の送信装置とは異なる所定の周波数の信号を出力する。このとき、発光ダイオード１４３が例えば緑色に点灯される。右足１０３が電極１１５に接触した場合、送信装置１３３より出力された信号は、右足１０３及び電極１１５を介して受信装置１３５に伝送される。電極１１５より入力された信号は、送信装置１３１，１３２から送信された信号と同様に、増幅器１８１において増幅され、信号処理部１８２において周波数を認識される。信号処理部１８２は受信した信号の周波数を認識すると、予め登録されている周波数と比較し、信号を送信した送信装置１３３を識別し、送信装置１３３に対応する発光ダイオード１４７を例えば緑色に点灯させ、右足１０３が電極１１５に接触したことを表示させる。
【００９９】
さらに、送信装置１３４も同様に他の送信装置とは異なる所定の周波数の信号を出力する。このとき、発光ダイオード１４４が例えば黄色に点灯される。左足１０４が電極１１５に接触した場合、送信装置１３４より出力された信号は、左足１０４及び電極１１５を介して受信装置１３５に伝送される。電極１１５より入力された信号は、送信装置１３１，１３２，１３３から送信された信号と同様に、増幅器１８１において増幅され、信号処理部１８２において周波数を認識される。信号処理部１８２は受信した信号の周波数を認識すると、予め登録されている周波数と比較し、信号を送信した送信装置１３４を識別し、送信装置１３４に対応する発光ダイオード１４８を例えば黄色に点灯させ、左足１０４が電極１１５に接触したことを表示させる。
【０１００】
以上のようにして、受信装置１３５に接続された電極１１５に接触した人体１００の部位が、右腕１０１、左腕１０２、右足１０３、又は左足１０４であることが、送信装置１３１、１３２、１３３及び１３４より送信された信号の周波数により識別される。例えば、１０〜２０ＭＨｚの周波数帯の中で、４種類の周波数を用いることは容易であり、これによって、両手両足の区別が可能である。
【０１０１】
図２７の例の送信装置１３１〜１３４は、内部の構成において変調器を必要としないため、小型化することができる。また、図２８の受信装置１３５は、復調器を必要としないため、小型化することができる。
【０１０２】
また、受信装置１３５の信号処理部１８２が、入力された信号に複数の周波数が含まれる場合でも、これらの周波数を全て認識できるようにすれば、人体１００の両手両足のうち２箇所以上が電極１１５に接触した場合でも、電極１１５に接触した部位の識別は可能である。
【０１０３】
さらに、送信装置１３１〜１３４として、図２に示した構成の送信装置と同様の内部構成の送信装置を用い、受信装置１３５として、図３に示した構成の受信装置と同様の内部構成の受信装置を用いた場合、複数の人間に対して各人ごとに識別信号を変えて送信装置を装着すれば、複数の人間に対しての両手両足の識別が可能となる。このようにしたことによって、識別信号により各人を識別し、識別信号の搬送波の周波数により、各人の部位（即ち両手両足のいずれか）を識別することも可能となる。なお、図２７，図２８の構成の送信装置及び受信装置を用いて、送信される信号の周波数のみで各人の両手両足を識別することも原理的には可能であるが、用意された伝送帯域の帯域幅に対応して、送信される信号の数が限られてしまう。上述したような識別信号を用いれば、このような制限はない。なお、両手両足の部位によっても識別信号を変えて、識別信号だけで各人の識別と両手両足の部位の識別を行うようにしても良い。
【０１０４】
また、図２４以降を参照して説明した第２の実施の形態では、送信装置側に少なくとも２つの電極を設けて、その内の１つを接地電位部に接続された電極としたが、この接地電位部に接続された電極については、省略するようにしても良い。但し、第１の実施の形態で説明したように、接地電極を省略した場合には、接地電極がある場合に比べて信号の伝送効率が低下する。また、２つの電極として、接地電極を設けるのではなく、信号の出力又は入力を行う第１の電極と、この第１の電極に得られる信号とは互いに逆極性のバランスした信号が出力又は入力される第２の電極を設けるようにしても良い。
【０１０５】
また、ここまで説明した第１，第２の実施の形態では、識別信号などを送信装置（通信装置）から送信させて、受信装置（通信装置）で受信する例について説明したが、その他の信号を人体を介して伝送するようにしても良い。例えば、映像信号や音声信号などを、同様の構成の送信装置や受信装置を使用して伝送するようにしても良い。この場合、上述した変調方式やキャリア周波数などの値についても、一例を示したものであり、伝送する信号に適した変調方式やキャリア周波数を適用すれば良い。
【０１０６】
また、ここまで説明した第１，第２の実施の形態では、人体を介して伝送を行うシステムについて説明したが、人体以外の生体を使用しても良いことは勿論である。
【０１０７】
また、本明細書において、システムとは、複数の装置により構成される装置全体を表すものである。
【０１１３】
【発明の効果】
本発明の情報伝送装置によれば、接触手段を介して送信される情報の送信元が識別できるように情報を制御するようにしたので、他の受信側の情報処理装置の電極に接触した生体の部位を識別することが可能となる。
【０１１４】
また本発明の情報伝送装置によれば、接触手段を介して受信した情報に基づいて、他の情報処理装置を識別するようにしたので、生体の部位を識別可能な簡単な構成の装置を実現することができる。
【０１１９】
また本発明の情報伝送システムによれば、第１および第２の情報処理装置で発生された情報を生体を介して第３の情報処理装置に伝送し、第３の情報処理装置で第１の情報処理装置と第２の情報処理装置とを識別するようにしたので、生体の部位を識別可能な簡単な構成のシステムを実現することができる。
【図面の簡単な説明】
【図１】本発明の第１の実施の形態によるシステム構成例を示した説明図である。
【図２】本発明の第１の実施の形態による送信装置の構成例を示したブロック図である。
【図３】本発明の第１の実施の形態による受信装置の構成例を示したブロック図である。
【図４】本発明の第１の実施の形態による伝送状態の例を示した説明図である。
【図５】本発明の第１の実施の形態による伝送状態の等価回路例を示した回路図である。
【図６】本発明の第１の実施の形態による送信装置の形状の例を示した斜視図である。
【図７】図６に示した送信装置の側面図である。
【図８】図６，図７とは異なる電極の配置例とした送信装置の側面図である。
【図９】図６，図７とはさらに異なる電極の配置例とした送信装置の側面図である。
【図１０】電極を４個設けた場合の接続例（例１）を示した構成図である。
【図１１】電極を４個設けた場合の接続例（例２）を示した構成図である。
【図１２】電極を４個設けた場合の接続例（例３）を示した構成図である。
【図１３】電極を４個設けた場合の接続例（例４）を示した構成図である。
【図１４】本発明の第１の実施の形態による送信装置を指輪とした例を示した斜視図である。
【図１５】図１４に示した送信装置の側面図である。
【図１６】図１４，図１５とは異なる電極の配置例とした送信装置の側面図である。
【図１７】図１４，図１５とはさらに異なる電極の配置例とした送信装置の側面図である。
【図１８】本発明の第１の実施の形態による送信装置をネックレスとした例を示した斜視図である。
【図１９】本発明の第１の実施の形態による受信装置の他の構成例を示したブロック図である。
【図２０】図１９の例の受信装置の電極の配置例（例１）を示した説明図である。
【図２１】図１９の例の受信装置の電極の配置例（例２）を示した説明図である。
【図２２】本発明の第１の実施の形態による通信装置のさらに他の構成例を示したブロック図である。
【図２３】図２２とは電極の接続を別とした通信装置の構成例を示したブロック図である。
【図２４】本発明の第２の実施の形態による情報伝送システムの構成例を示した説明図である。
【図２５】本発明の第２の実施の形態による情報伝送システムの他の構成例を示した説明図である。
【図２６】本発明の第２の実施の形態による情報伝送システムのさらに他の構成例を示した説明図である。
【図２７】図２６の例の情報伝送システムにおける送信装置の構成を示すブロック図である。
【図２８】図２６の例の情報伝送システムにおける受信装置の構成を示すブロック図である。
【図２９】従来の人体を伝送路として使用した伝送状態の原理を示した説明図である。
【図３０】従来の送信装置の例を示したブロック図である。
【図３１】従来の受信装置の例を示したブロック図である。
【符号の説明】
１…人体、２…送信装置、３…受信装置、１０，１０′…送信装置、１１…バンド、１２…電極、１３…電極、１４…信号源、１４ａ…発光ダイオード、１５…変調器、１６…キャリア発生器、１７…バンドパスフィルタ、１８…増幅器、１９…電池、２０…受信装置、２１…電極、２２…内部電極、２３…増幅器、２４…復調器、２５…キャリア発生器、２６…データ処理部、２７…表示部、２８…電池、２９…電極、５１，５２，５３，５４…電極、６０，６０′…指輪型送信装置、６１…環状部、６２，６３，６４，６５…電極、７０…ネックレス型送信装置、７１…チェーン部、７２，７３…電極、８０，８０′…通信装置、８１，８２…電極、８３…マイクロプロセッサ、８４…表示部、８５…変調器、８６…キャリア発生器、８７，８８…増幅器、８９…復調器、９１，９２，９３，９４…電極、１００…人体、１０１…右腕（右手）、１０２…左腕（左手）、１０３…右足、１０４…左足、１１１，１１２…送信装置、１１３…電極、１１４…受信装置、１１５…電極、１２１，１２２，１２３，１２４…発光ダイオード、１３１，１３２，１３３，１３４…送信装置、１３５…受信装置、１４１，１４２，１４３，１４４，１４５，１４６，１４７，１４８…発光ダイオード、１６１…発振器、１６２…バッファアンプ、１６３…電極、１６４…電池、１６５…電極、１８１…増幅器、１８２…信号処理部、１８３…電池
【図１】
0004019742.tif 000006
【図２】
0004019742.tif 000007
【図３】
0004019742.tif 000008
【図４】
0004019742.tif 000009
【図５】
0004019742.tif 000010
【図６】
0004019742.tif 000011
【図７】
0004019742.tif 000012
【図８】
0004019742.tif 000013
【図９】
0004019742.tif 000014
【図１０】
0004019742.tif 000015
【図１１】
0004019742.tif 000016
【図１２】
0004019742.tif 000017
【図１３】
0004019742.tif 000018
【図１４】
0004019742.tif 000019
【図１５】
0004019742.tif 000020
【図１６】
0004019742.tif 000021
【図１７】
0004019742.tif 000022
【図１８】
0004019742.tif 000023
【図１９】
0004019742.tif 000024
【図２０】
0004019742.tif 000025
【図２１】
0004019742.tif 000026
【図２２】
0004019742.tif 000027
【図２３】
0004019742.tif 000028
【図２４】
0004019742.tif 000029
【図２５】
0004019742.tif 000030
【図２６】
0004019742.tif 000031
【図２７】
0004019742.tif 000032
【図２８】
0004019742.tif 000033
【図２９】
0004019742.tif 000034
【図３０】
0004019742.tif 000035
【図３１】
0004019742.tif 000036